(57)【要約】【課題】各噴霧ユニットに設定されている噴霧パターンを損なうことなく、必要最小限の給水設備で各噴霧ユニットを稼動させることができる補助冷却装置を提供する。【解決手段】各室外機４０の熱交換器に対して所定の噴霧パターンにより間欠噴霧を行う噴霧ユニット１０は、通信アダプタ３０と通信可能となるように接続される。通信アダプタ３０のコントローラ３１は、各噴霧ユニット１０の稼動状態を取得して、同時に間欠噴霧が行われる噴霧ユニット１０の噴霧期間を、前記噴霧パターンに基づいて供給される水量が給水設備２０の給水能力範囲内となるように順序立てて設定する。そして、コントローラ３１は、設定された噴霧期間に基づいて各噴霧ユニット１０の間欠噴霧を統括制御する。【選択図】図１
2008116106.tif 000002
【特許請求の範囲】
【請求項１】
複数台の空気調和機の室外機におけるそれぞれの熱交換器に対して水を間欠噴霧し、前記熱交換器を補助的に冷却する補助冷却装置であって、
各室外機に設けられ、各室外機の運転状態に応じた所定の噴霧パターンにより間欠噴霧を行う噴霧ユニットと、
噴霧される水を各噴霧ユニットに供給する給水設備と、
各噴霧ユニットと通信可能に接続される通信アダプタとを備え、
前記通信アダプタは、各噴霧ユニットの稼動状態を取得して、同時に間欠噴霧が行われる噴霧ユニットの噴霧期間を、前記噴霧パターンに基づいて供給される水量が給水設備の給水能力範囲内となるように順序立てて設定するとともに、前記設定された噴霧期間に基づいて各噴霧ユニットの間欠噴霧を統括制御する制御手段を有する
ことを特徴とする補助冷却装置。
【請求項２】
請求項１に記載の補助冷却装置において、
前記各噴霧ユニットは、対応する空気調和機の出力に応じた個数の噴霧用のノズルを有しており、
前記制御手段は、噴霧期間が重なる噴霧ユニットのノズルの数を合計した総ノズル数が、前記給水設備の給水能力から換算された同時に噴霧することができる最大ノズル数を超えないように、各噴霧ユニットの噴霧期間を設定する
ことを特徴とする補助冷却装置。
【請求項３】
請求項１又は２に記載の補助冷却装置において、
前記制御手段は、同時に間欠噴霧が行われる噴霧ユニットをグループ分けして、噴霧ユニットのグループ毎に順次噴霧が実行されるように、各噴霧ユニットの噴霧期間を設定する
ことを特徴とする補助冷却装置。
【請求項４】
請求項１〜３のいずれか一項に記載の補助冷却装置において、
前記制御手段は、ある噴霧ユニットにおいて噴霧を開始すると、供給される水量が前記給水設備の給水能力範囲を超えると判断した場合には、当該噴霧ユニットの噴霧期間を、供給される水量が給水設備の給水能力範囲内となるまで遅延させる
ことを特徴とする補助冷却装置。
【請求項５】
請求項１〜４のいずれか一項に記載の補助冷却装置において、
前記各噴霧ユニットには、間欠噴霧が行われるときの優先順位を示す優先噴霧順位が予め設定されており、
前記制御手段は、各噴霧ユニットから前記優先噴霧順位を取得して、その優先噴霧順位に基づいて各噴霧ユニットの噴霧期間を設定する
ことを特徴とする補助冷却装置。
【請求項６】
請求項１〜５のいずれか一項に記載の補助冷却装置において、
前記各噴霧ユニットには、それぞれ固有のアドレスが設定され、
前記制御手段は、前記固有のアドレスに対応したデータを送受信することで各噴霧ユニットの間欠噴霧を制御する
ことを特徴とする補助冷却装置。
【請求項７】
請求項１〜６のいずれか一項に記載の補助冷却装置において、
前記給水設備を流通する水の流速又は流量を計測する計測手段を更に備え、
前記制御手段は、前記計測手段による計測結果に基づいて、各噴霧ユニットの間欠噴霧をフィードバック制御する
ことを特徴とする補助冷却装置。
【発明の詳細な説明】
【技術分野】
【０００１】
本発明は、空気調和機の室外機に搭載された熱交換器に対して水を間欠噴霧し、熱交換器を補助的に冷却する補助冷却装置に関するものである。
【背景技術】
【０００２】
従来、空気調和機の室外機の熱交換器を補助的に冷却して、冷房能力の増大、及び空気調和機の省電力化を図るようにした補助冷却装置が知られている。こうした補助冷却装置においては、特許文献１に示されるように、室外機に配置された噴霧ユニットから熱交換器に対して水を間欠噴霧し、この水の顕熱及び蒸発潜熱を利用して熱交換器を冷却するようしている。この噴霧ユニットは、室外機に設けられた圧縮機の作動により空気調和機が運転中であることを検出するとともに、外気温度等により熱交換器の冷却の要否を判断する。そして、熱交換器の冷却が必要である旨判断されたときは、室外機の運転状態に応じた所定の噴霧パターンに基づいて水を間欠噴霧する。
【０００３】
また、このような補助冷却装置を、ビルの空気調和機等、複数台の空気調和機の室外機に対して用いる場合には、各室外機の運転状態に応じて間欠噴霧を行う噴霧ユニットが各室外機毎に設けられる。そして、補助冷却装置の各噴霧ユニットに対しては、共用の給水設備からそれぞれ水が供給される。
【特許文献１】特開２００６−１０１５０号公報
【発明の開示】
【発明が解決しようとする課題】
【０００４】
ところで、上記のような複数台の室外機に対して用いられる補助冷却装置では、各噴霧ユニット毎にばらばらに間欠噴霧が行われるため、それぞれの噴霧ユニットの噴霧タイミングが整合性のないものとなっている。このため、噴霧ユニットに水を供給する補助冷却装置の給水設備は、各噴霧ユニットで同時に噴霧が行われる場合の水量をある程度確保できるように設定しておく必要がある。ところが、こうした考え方で給水設備を設定すると、発生すると予測される最大水量に合わせた配管、ポンプ、弁等を使用することとなるため、全ての室外機が運転されていない場合や、噴霧期間がずれている場合等、多くの状況において過剰な能力の給水設備が用いられていることになる。
【０００５】
この発明は、こうした実情に鑑みてなされたものであって、その目的は、各噴霧ユニットに設定されている噴霧パターンを損なうことなく、必要最小限の給水設備で各噴霧ユニットを稼動させることができる補助冷却装置を提供することにある。
【課題を解決するための手段】
【０００６】
本発明に係る補助冷却装置は、複数台の空気調和機の室外機におけるそれぞれの熱交換器に対して水を間欠噴霧し、前記熱交換器を補助的に冷却する補助冷却装置であって、各室外機に設けられ、各室外機の運転状態に応じた所定の噴霧パターンにより間欠噴霧を行う噴霧ユニットと、噴霧される水を各噴霧ユニットに供給する給水設備と、各噴霧ユニットと通信可能に接続される通信アダプタとを備え、前記通信アダプタは、各噴霧ユニットの稼動状態を取得して、同時に間欠噴霧が行われる噴霧ユニットの噴霧期間を、前記噴霧パターンに基づいて供給される水量が給水設備の給水能力範囲内となるように順序立てて設定するとともに、前記設定された噴霧期間に基づいて各噴霧ユニットの間欠噴霧を統括制御する制御手段を有することを特徴とする。
【０００７】
同構成によれば、各室外機の運転状態に応じた所定の噴霧パターンにより間欠噴霧を行う噴霧ユニットは、通信アダプタと通信可能となるように接続される。そして、通信アダプタの制御手段は、各噴霧ユニットが稼動状態にあるか否かを取得して、同時に間欠噴霧が行われる噴霧ユニットの噴霧期間を、前記噴霧パターンに基づいて供給される水量が給水設備の給水能力範囲内となるように順序立てて設定するとともに、設定された噴霧期間に基づいて各噴霧ユニットの間欠噴霧を統括制御する。このため、制御手段の統括制御によって同時に間欠噴霧が行われる複数の噴霧ユニット間で噴霧期間の整合をとることができ、各噴霧ユニットに供給される水量が給水設備の給水能力範囲を超えてしまうような状況を回避することができる。
【０００８】
また、制御手段は、各噴霧ユニットの噴霧期間を、供給される水量が給水設備の給水能力範囲内となるように順序立てるため、給水設備の給水能力を極力低くしておくことが可能となる。すなわち、全ての噴霧ユニットが間欠噴霧を行う場合の時間当たりの平均使用水量を少なくとも供給できるように給水設備を構成しておけば、制御手段による噴霧期間の設定により、供給水量が不足することを防止することができる。このため、各噴霧ユニットに設定されている噴霧パターンを損なうことなく、必要最小限の給水設備で各噴霧ユニットを稼動させることができる。従って、全ての噴霧ユニットの噴霧期間が重なる状態に対応できるような大容量の給水設備を用いる必要がなくなるため、給水配管、ポンプ、弁等の設備の小型化及び使用数量削減を図ることができ、設備費用や工事費用を低減することができる。
【０００９】
また、上記の構成において、前記各噴霧ユニットは、対応する空気調和機の出力に応じた個数の噴霧用のノズルを有しており、前記制御手段は、噴霧期間が重なる噴霧ユニットのノズルの数を合計した総ノズル数が、前記給水設備の給水能力から換算された同時に噴霧することができる最大ノズル数を超えないように、各噴霧ユニットの噴霧期間を設定するようにしてもよい。
【００１０】
同構成によれば、通信アダプタの制御手段は、噴霧期間が重なる噴霧ユニットの総ノズル数が、給水設備の給水能力から換算された最大ノズル数を超えないように、各噴霧ユニットの噴霧期間を設定するため、各噴霧ユニットの噴霧量と給水設備の給水能力とをノズルの数に置き換えて容易に比較できるようにして、各噴霧ユニットに供給される水量が給水設備の給水能力範囲を超えてしまうことを防止することができる。
【００１１】
また、前記制御手段は、同時に間欠噴霧が行われる噴霧ユニットをグループ分けして、噴霧ユニットのグループ毎に順次噴霧が実行されるように、各噴霧ユニットの噴霧期間を設定するようにしてもよい。
【００１２】
同構成によれば、通信アダプタの制御手段は、同時に間欠噴霧が行われる噴霧ユニットをグループ分けして、噴霧ユニットのグループ毎に順次噴霧が実行されるように各噴霧ユニットの噴霧期間を設定するため、グループ毎の噴霧期間の設定によって、間欠噴霧の統括制御を容易にすることができる。
【００１３】
また、前記制御手段は、ある噴霧ユニットにおいて噴霧を開始すると、供給される水量が前記給水設備の給水能力範囲を超えると判断した場合には、当該噴霧ユニットの噴霧期間を、供給される水量が給水設備の給水能力範囲内となるまで遅延させるようにしてもよい。
【００１４】
同構成によれば、通信アダプタの制御手段は、ある噴霧ユニットの噴霧開始によって供給される水量が給水設備の給水能力範囲を超えると判断した場合には、当該噴霧ユニットの噴霧期間を給水設備の給水能力範囲内となるまで遅延させるため、このような場合においては、予め設定された噴霧パターンの噴霧期間を一時的に変更することによって、供給水量の不足する期間が発生してしまうことを抑えることができる。
【００１５】
また、前記各噴霧ユニットには、間欠噴霧が行われるときの優先順位を示す優先噴霧順位が予め設定されており、前記制御手段は、各噴霧ユニットから前記優先噴霧順位を取得して、その優先噴霧順位に基づいて各噴霧ユニットの噴霧期間を設定するようにしてもよい。
【００１６】
同構成によれば、通信アダプタの制御手段は、各噴霧ユニットに予め設定された優先噴霧順位に基づいて各噴霧ユニットの噴霧期間を設定するため、例えば冷房能力の確保が不可欠で冷房負荷の低減が強く求められるような空気調和機がある場合には、その室外機に設けられる噴霧ユニットの優先噴霧順位を上位に設定することで、熱交換器の冷却が優先的に行われるように噴霧期間を設定することができる。
【００１７】
また、前記各噴霧ユニットには、それぞれ固有のアドレスが設定され、前記制御手段は、前記固有のアドレスに対応したデータを送受信することで各噴霧ユニットの間欠噴霧を制御するようにしてもよい。
【００１８】
同構成によれば、通信アダプタの制御手段は、各噴霧ユニットにそれぞれ設定された固有のアドレスに対応したデータを送受信することで各噴霧ユニットの間欠噴霧を制御するため、各噴霧ユニットの噴霧パターン等の管理が容易となる。また、こうしたアドレス管理によって、噴霧ユニットが追加、削除された場合や、別仕様のものと交換された場合に、補助冷却装置に設けられている噴霧ユニットを制御手段が確実に認識できるようにすることができる。なお、各噴霧ユニットに対するアドレスの設定は、制御手段が自動的に割り振るようにしてもよいし、噴霧ユニットの室外機への装着時に予め設定しておくようにしてもよい。
【００１９】
また、補助冷却装置は、前記給水設備を流通する水の流速又は流量を計測する計測手段を更に備え、前記制御手段は、前記計測手段による計測結果に基づいて、各噴霧ユニットの間欠噴霧をフィードバック制御するようにしてもよい。
【００２０】
同構成によれば、通信アダプタの制御手段は、給水設備を流通する水の流速又は流量の計測結果に基づいて各噴霧ユニットの間欠噴霧をフィードバック制御するため、噴霧ユニットからの噴霧状態や給水能力の余裕度等を実際の計測値により把握して、噴霧期間の設定をより的確に行うことができる。
【発明の効果】
【００２１】
本発明によれば、複数台の空気調和機の各室外機に設けられた噴霧ユニットの噴霧期間は、通信アダプタの制御手段によって、供給される水量が給水設備の給水能力範囲内となるように統括制御されるため、全ての噴霧ユニットの噴霧期間が重なるような状態に対応できるような大容量の給水設備を用いる必要がなくなる。このため、各噴霧ユニットに設定されている噴霧パターンを損なうことなく、必要最小限の給水設備で各噴霧ユニットを稼動させることができ、配管、ポンプ、弁等の設備の小型化及び使用数量削減を図って、設備費用や工事費用を低減することができる。
【発明を実施するための最良の形態】
【００２２】
以下、図１〜８を参照して、本発明を具体化した補助冷却装置の一実施形態について説明する。
図１は補助冷却装置１と空気調和機の室外機４０との構成を示す概略図である。補助冷却装置１は、複数台の室外機４０におけるそれぞれの熱交換器に対して水を間欠噴霧し、熱交換器を補助的に冷却するものである。補助冷却装置１は、各室外機４０の運転状態に応じた所定の噴霧パターンにより間欠噴霧を行う噴霧ユニット１０と、噴霧される水を各噴霧ユニット１０に供給する給水設備２０と、各噴霧ユニット１０と通信可能に接続される通信アダプタ３０とを備える。
【００２３】
噴霧ユニット１０は、各室外機４０に設けられるとともに、室外機４０の熱交換器に対して水を間欠噴霧する。間欠噴霧は、水の噴霧を行う噴霧期間と水の噴霧を休止する乾燥期間とが一定の周期をもって交互に繰り返される所定の噴霧パターンによって行われる。図２は噴霧ユニット１０を搭載した室外機４０の概略断面図である。室外機４０は、ビルの屋上等に配置されるとともに、図示しない室内機に連絡配管を介して接続されている。室外機４０は、ケーシング４１内に配置された熱交換器４２と、この熱交換器４２に対向するように配置されたファン４３とを備えている。空気調和機の運転時には、ファン４３の回転によって熱交換器４２側から外気を吸入する。熱交換器４２は、複数のフィン４４に複数の冷媒管４５を貫通させて構成され、冷房運転時にはファン４３により吸い込まれた空気と熱交換を行い、冷媒管４５内を流通する冷媒を冷却する。なお、噴霧ユニット１０が搭載される室外機４０は、熱交換器４２及びファン４３が異なる形態で配置されるものであってもよい。
【００２４】
噴霧ユニット１０は、熱交換器４２に対して水を噴霧するノズル１１と、水の噴霧態様を制御する噴霧制御部１２とを備える。ノズル１１は、取付枠１３により室外機４０に取り付けられるとともに、噴霧制御部１２を介して水が供給される配管１４に接続されている。噴霧制御部１２は、室外機４０の上面に配置され、その内部に、噴霧制御を司る制御基板１５と、配管１４上に設けられた電磁弁１６と、外気温度を検出するサーミスタ１７とを備えている。制御基板１５は、室外機４０に搭載された圧縮機の吐出管の温度を検出する吐出管サーモ（図示せず）と接続されている。制御基板１５は、吐出管の温度に基づいて、圧縮機が作動状態にあるか否かを検出して、空気調和機が運転中であるか否かを判断する。
【００２５】
電磁弁１６は、開弁状態と閉弁状態との間で切り換えられる切換弁であり、制御基板１５によって開閉駆動される。電磁弁１６の開弁時には、配管１４を介してノズル１１に水が供給され、ノズル１１から熱交換器４２に対して水が噴霧される。
【００２６】
サーミスタ１７の検出信号は制御基板１５に入力される。制御基板１５は、サーミスタ１７の検出信号により外気温度が所定の温度以上になったことを検出すると、冷房負荷が大きくなっていると判断する。すなわち、制御基板１５は、空気調和機が運転中である旨判断し、且つ外気温度が所定の温度以上になったことを検出すると、空気調和機の冷房負荷が大きくなったと判断して、水の間欠噴霧を開始する。ノズル１１から熱交換器４２に対して水が噴霧されると、噴霧された水の顕熱及び蒸発潜熱によって、熱交換器４２が冷却され、冷房能力が増大する。
【００２７】
給水設備２０は、図１に示すように、既設の給水栓２１から水を取り出し、各噴霧ユニット１０に給水配管２２を通じて水が供給されるように構成される。給水配管２２には、給水弁２３と加圧装置２４とが設けられている。給水弁２３は、その開閉によって、各噴霧ユニット１０への給水可能状態と給水停止状態とを切り換える。加圧装置２４は、給水栓２１における水圧が不足している場合に設置され、ポンプにより水圧を増加させて給水量を確保する。給水配管２２は、下流側で分岐され、各噴霧ユニット１０の噴霧制御部１２に接続される。
【００２８】
通信アダプタ３０は、各噴霧ユニット１０の間欠噴霧を統括制御する制御手段としてのコントローラ３１を有する。コントローラ３１と各噴霧ユニット１０の制御基板１５とは、ケーブル３２によってシリアル接続され、これによりコントローラ３１と制御基板１５との間で通信が行われる。各噴霧ユニット１０の制御基板１５には、それぞれ固有のアドレスが設定されている。コントローラ３１は、アドレスに対応したデータを送受信することで、各噴霧ユニット１０の間欠噴霧を制御する。
【００２９】
次に、補助冷却装置１における通信アダプタ３０と各噴霧ユニット１０との接続形態を具体例を用いて説明する。図３は、その接続形態の一例を示したブロック図である。通信アダプタ３０には、１６台の噴霧ユニット１０ａ，１０ｂ，１０ｃ…１０ｐがシリアル接続されている。各噴霧ユニット１０は、対応する空気調和機の出力に応じた個数のノズル１１を有している。６台の噴霧ユニット１０ａ，１０ｆ，１０ｈ，１０ｊ，１０ｍ，１０ｐは空気調和機の出力が６馬力（ＨＰ）であり、これに対応して各噴霧ユニットがそれぞれ１．６個のノズル数を有している。また、４台の噴霧ユニット１０ｃ，１０ｅ，１０ｋ，１０ｎは空気調和機の出力が１６ＨＰであり、これに対応して各噴霧ユニットがそれぞれ４．８個のノズル数を有している。また、３台の噴霧ユニット１０ｄ，１０ｇ，１０ｏは空気調和機の出力が３０ＨＰであり、これに対応して各噴霧ユニットがそれぞれ１２個のノズル数を有している。また、３台の噴霧ユニット１０ｂ，１０ｉ，１０ｌは空気調和機の出力が６０ＨＰであり、これに対応して各噴霧ユニットがそれぞれ２４個のノズル数を有している。各噴霧ユニット１０のノズル数は、通信アダプタ３０のコントローラ３１に入力される。なお、ここで用いるノズル数は、ノズル１１の噴霧容量を各噴霧ユニット１０間で整合性をとるように設定しているため、小数点以下の数値を含むノズル数として表記している。
【００３０】
また、１６台の噴霧ユニット１０ａ，１０ｂ，１０ｃ…１０ｐには、間欠噴霧が行われるときの優先順位を示す優先噴霧順位が予め設定されている。例えば、冷房能力の確保が不可欠で冷房負荷の低減が強く求められるような空気調和機がある場合には、その室外機４０に設けられる噴霧ユニット１０の優先噴霧順位は上位に設定される。図３の補助冷却装置１では、噴霧ユニット１０ａ，１０ｂ…の順に優先噴霧順位が１位，２位…となるように設定されている。各噴霧ユニット１０の優先噴霧順位は、通信アダプタ３０のコントローラ３１に入力される。
【００３１】
次に、このように構成される補助冷却装置１において、噴霧ユニット１０に水を供給する給水配管２２の選定方法について説明する。給水設備２０は、一般的に各噴霧ユニット１０で同時に噴霧が行われる場合の水量をある程度確保できるように設定されるが、本実施形態では、後述する通信アダプタ３０のコントローラ３１の制御によって、各噴霧ユニット１０間で間欠噴霧時における噴霧期間の整合がとられるため、供給可能な水量を極力小さくした給水配管２２が選定される。すなわち、全ての噴霧ユニット１０が間欠噴霧を行う場合の時間当たりの平均使用水量を少なくとも供給できるように給水配管２２が選定される。これにより、給水設備２０を小容量化して、設備費用や工事費用を低減するようにしている。以下に、図３の構成例を用いて、給水配管２２の具体的な選定方法について説明する。
【００３２】
給水配管２２の選定を行うときには、まず補助冷却装置１に設けられている全体ノズル数Ｎａを求める。全体ノズル数Ｎａは、１６台の噴霧ユニット１０のノズル数を足し合わせることで求められ、この場合には１３６．８個となる。
【００３３】
次いで、全ての噴霧ユニット１０の中で、最も小さいグループ数Ｇｎを求める。グループ数とは、ある噴霧ユニット１０における間欠噴霧の１周期の間に、その噴霧ユニット１０の噴霧期間が重ならないように何グループの噴霧期間を設けることができるかを表す数である。図４（ａ）は各噴霧ユニット１０の噴霧期間の標準時間、乾燥期間の標準時間、及びグループ数を示したものである。各噴霧ユニット１０の噴霧期間及び乾燥期間は、同図に示すように、装着される空気調和機の出力によって時間が異なるため、そのグループ数も各噴霧ユニット１０間で異なってくる。例えば、６ＨＰの空気調和機に装着される噴霧ユニット１０においては、間欠噴霧の１周期が１６．５秒であり、図４（ｂ）に示すように、３グループの噴霧期間を順次設けることができるため、グループ数は３となる。また、同様の手順でグループ数を求めると、１６ＨＰの空気調和機に装着される噴霧ユニット１０のグループ数は３となり、３０ＨＰ及び６０ＨＰの空気調和機に装着される噴霧ユニット１０のグループ数は４となる。このため、最も小さいグループ数Ｇｎとして３が求められる。
【００３４】
次いで、各噴霧ユニット１０をグループ数Ｇｎにグループ分けして各グループのノズル数が均等になるようにした場合の噴霧ノズル数Ｎｂを求める。噴霧ノズル数Ｎｂは、ノズル数が均等割されたグループ毎に噴霧を行うと仮定した場合に、同時に噴霧される最大のノズル数を示すものである。噴霧ノズル数Ｎｂは、全体ノズル数Ｎａをグループ数Ｇｎで除することで求められ、図３の構成では４５．６個となる。
【００３５】
次いで、噴霧ノズル数Ｎｂに基づいて給水配管２２の配管径を求める。図４（ｃ）は、同時に噴霧される最大のノズル数と、そのときに必要な給水配管２２の配管径との関係を示す表である。この表は、ノズル１個当たりの噴霧量が７３．５（リットル／時）の場合の、ノズル数と配管径との関係を示している。図３の構成では、噴霧ノズル数Ｎｂが４５．６個であることから、３０Ａの配管径が選定される。すなわち、給水設備２０の給水配管２２として３０Ａ以上の配管径を選定しておくと、各噴霧ユニット１０で間欠噴霧が同時に行われる際にも供給水量が確保され得ることになる。
【００３６】
そして、通信アダプタ３０のコントローラ３１には、選定された給水配管２２の配管径から算出される最大ノズル数Ｎｃが設定される。最大ノズル数Ｎｃは、選定された給水配管２２が同時に水を供給することができる最大のノズル数を示すものである。図３の構成では、給水配管２２の配管径は３０Ａであるため、図４（ｃ）の３０Ａにおけるノズル数の最大値、すなわち５７．１個が最大ノズル数Ｎｃとなる。
【００３７】
次に、通信アダプタ３０のコントローラ３１が行う、各噴霧ユニット１０の間欠噴霧の統括制御について説明する。コントローラ３１は、各噴霧ユニット１０の稼動状態を取得して、同時に間欠噴霧が行われる噴霧ユニット１０の噴霧期間を、供給される水量が給水設備２０の給水能力範囲内となるように順序立てて設定する。コントローラ３１は、各噴霧ユニット１０の噴霧期間を順序立てて設定する際に、噴霧期間が重なる噴霧ユニット１０のノズルの数を合計した総ノズル数が最大ノズル数Ｎｃを超えないようにし、これにより供給される水量が給水設備２０の給水能力範囲内となるようにする。
【００３８】
図５は、図３の構成において、コントローラ３１により設定された各噴霧ユニット１０の噴霧順序を示すタイムチャートである。図５では、１６台の全ての噴霧ユニット１０が稼動状態、すなわち間欠噴霧が行われる状態にある場合の噴霧例を示している。また、図中の枠で囲われた範囲に対応する時間が、各噴霧ユニット１０の噴霧期間を示しており、枠内には優先順位、出力、噴霧時間、ノズル数を記載している。
【００３９】
コントローラ３１は、所定時間（図５の時間が０のとき）を基準として１６台の噴霧ユニットにおける噴霧期間の設定を行い、まず所定時間後に最初に行われる初回噴霧の噴霧期間の設定を行う。このときに、コントローラ３１は、同時に間欠噴霧が行われる噴霧ユニット１０をグループ分けして、噴霧ユニット１０のグループ毎に順次噴霧が実行されるように初回噴霧の噴霧期間を設定する。噴霧ユニット１０のグループ分けは、各噴霧ユニット１０に設定されている優先噴霧順位に基づいて行われる。すなわち、コントローラ３１は、優先噴霧順位が上位の噴霧ユニット１０が、先に噴霧されるグループに属するようにグループ分けを行う。
【００４０】
コントローラ３１は、図５に示すように、噴霧ユニット１０ａ，１０ｂ，１０ｃ，１０ｄ，１０ｅ，１０ｆ，１０ｈ，１０ｊ，１０ｋを第１グループとして選出し、噴霧ユニット１０ｇ，１０ｉ，１０ｍ，１０ｎ，１０ｏ，１０ｐを第２グループとして選出し、噴霧ユニット１０ｌを第３グループとして選出する。そして、第１グループ、第２グループ、第３グループの順に噴霧期間が設けられるようにし、このグループ順に噴霧を実行させる。下段の総ノズル数Ｎｄは、各時間において噴霧が実行されているノズルの総和をとったものである。上記のような噴霧期間の設定によって、総ノズル数Ｎｄがいずれの時間においても最大ノズル数Ｎｃを超えないように順序立てて噴霧が行われる。
【００４１】
コントローラ３１は、初回噴霧を実行させた後、各噴霧ユニット１０毎の所定の噴霧パターンにより、各噴霧ユニット１０に噴霧を行わせる。図５に示すように、各噴霧ユニット１０は、図４（ａ）の噴霧期間及び乾燥期間に示すような各々の噴霧パターンで２回目以降の噴霧を行う。
【００４２】
図６は、このような間欠噴霧が行われるときに、コントローラ３１によって行われる制御を示した噴霧実行ルーチンのフローチャートである。この噴霧実行ルーチンは、通信アダプタ３０が各噴霧ユニット１０と通信可能に接続されている状態において、所定のタイミング毎に繰り返し実行される。噴霧実行ルーチンが開始されると、コントローラ３１は、予め設定されている最大ノズル数Ｎｃを確認する（ステップＳ１１０）。次いで、コントローラ３１は、各噴霧ユニット１０の稼動状態を取得する（ステップＳ１２０）。各噴霧ユニット１０は、対応する空気調和機が運転中であり、且つ外気温度が所定の温度以上となっているときに間欠噴霧を行う。コントローラ３１は、全ての噴霧ユニットのうち、どの噴霧ユニット１０が間欠噴霧を行う状態にあるかを取得する。
【００４３】
次いで、コントローラ３１は、ステップＳ１１０で確認された最大ノズル数Ｎｃに基づいて、ステップＳ１２０で取得した間欠噴霧を行う状態にある噴霧ユニット１０の中から、初回噴霧する第１グループの噴霧ユニット１０を選出し、選出された噴霧ユニット１０に噴霧を行わせる（ステップＳ１３０）。次いで、コントローラ３１は、最大ノズル数Ｎｃに基づいて、ステップＳ１３０で噴霧されなかった噴霧ユニットの中から、初回噴霧する第２グループの噴霧ユニット１０を選出し、選出された噴霧ユニット１０に噴霧を行わせる（ステップＳ１４０）。そして、同様の手順をもってグループ毎に噴霧を行わせ、グループ分けされた最後の第ｎグループの噴霧ユニット１０を選出して噴霧を行わせることで（ステップＳ１５０）、間欠噴霧が行われる全ての噴霧ユニット１０の初回噴霧を終了させる。初回噴霧が終了した後には、各噴霧ユニット１０毎の所定の噴霧パターンにより、各噴霧ユニット１０に噴霧を継続して行わせ（ステップＳ１６０）、前記所定のタイミングで噴霧実行ルーチンを終了する。
【００４４】
ここで、噴霧実行ルーチンのステップＳ１３０〜Ｓ１５０で処理される噴霧ユニット１０の選出について説明する。図７は、これらのステップで噴霧ユニット１０を選出するときに、コントローラ３１によって実行される噴霧ユニット選出ルーチンのフローチャートである。噴霧ユニット選出ルーチンが開始されると、コントローラ３１は、選出対象となる噴霧ユニット１０の中で、優先順位が最も上位の噴霧ユニットを選出する（ステップＳ２１０）。例えば、図５のように全ての噴霧ユニットが間欠噴霧を行う状態にある場合に、噴霧実行ルーチンのステップＳ１３０で第１グループの噴霧ユニットを選出するときには、優先順位が１位の噴霧ユニット１０ａが選出される。また、図５の第１グループが噴霧を行った後に、噴霧実行ルーチンのステップＳ１４０で第２グループの噴霧ユニットを選出するときには、優先順位が７位の噴霧ユニット１０ｇが選出される。
【００４５】
次いで、コントローラ３１は、最大ノズル数Ｎｃと積算ノズル数Ｎｅとを比較する（ステップＳ２２０）。積算ノズル数Ｎｅとは、このステップが処理されるまでに、コントローラ３１が選出した噴霧ユニット１０の全てのノズル数を合計した値である。例えば、噴霧ユニット１０ａのみが選出されている場合には、積算ノズル数Ｎｅが１．６になり、噴霧ユニット１０ａと噴霧ユニット１０ｂとが選出されている場合には、積算ノズル数Ｎｅが２５．６となる。
【００４６】
積算ノズル数Ｎｅが最大ノズル数Ｎｃよりも小さいとき（ステップＳ２２０でＮｅ＜Ｎｃ）には、噴霧ユニット１０に供給される水量に対して、給水設備２０の給水能力に余裕があることを示している。従って、Ｎｅ＜Ｎｃの場合には、コントローラ３１は、給水設備２０の給水能力を有効に利用するため、給水能力範囲内でより多くの噴霧ユニット１０を同時に噴霧させるように、グループに追加する噴霧ユニット１０の選定を行う。
【００４７】
コントローラ３１は、こうした選定に先立って、他に選出対象となる噴霧ユニット１０が残されているか否かを判定する（ステップＳ２３０）。他に選出対象となる噴霧ユニット１０が残されているとき（ステップＳ２３０でＹＥＳ）には、選出対象として残された噴霧ユニット１０のうち、優先順位が最も上位の噴霧ユニットを追加選出し（ステップＳ２４０）、ステップＳ２２０に戻る。一方、他に選出対象となる噴霧ユニット１０が残されていないとき（ステップＳ２３０でＮＯ）には、それまでに選出された噴霧ユニット１０を１つのグループとして決定し（ステップＳ２５０）、この噴霧ユニット選出ルーチンを終了する。
【００４８】
また、積算ノズル数Ｎｅが最大ノズル数Ｎｃよりも大きいとき（ステップＳ２２０でＮｅ＞Ｎｃ）には、噴霧ユニット１０に供給される水量が、給水設備２０の給水能力を超えていることを示している。従って、Ｎｅ＞Ｎｃの場合には、コントローラ３１は、供給される水量が給水設備２０の給水能力範囲内となるように、既に選定されている噴霧ユニット１０をグループから除外する又はノズル数のより少ない他の噴霧ユニット１０に置き換える。
【００４９】
このため、コントローラ３１は、既に選定されている噴霧ユニット１０のうち、優先順位が最も下位の噴霧ユニットをグループから除外する（ステップＳ２６０）。そして、他に選出対象となる噴霧ユニット１０が残されているか否かを判定する（ステップＳ２７０）。他に選出対象となる噴霧ユニット１０が残されているとき（ステップＳ２７０でＹＥＳ）には、選出対象として残された噴霧ユニット１０のうち、優先順位が最も上位の噴霧ユニットを追加選出し（ステップＳ２８０）、ステップＳ２２０に戻る。一方、他に選出対象となる噴霧ユニット１０が残されていないとき（ステップＳ２７０でＮＯ）には、それまでに選出された噴霧ユニットを１つのグループとして決定し（ステップＳ２５０）、この噴霧ユニット選出ルーチンを終了する。
【００５０】
また、積算ノズル数Ｎｅが最大ノズル数Ｎｃと等しいとき（ステップＳ２２０でＮｅ＝Ｎｃ）には、噴霧ユニット１０に供給される水量が、給水設備２０の給水能力と同等であることを示している。このときには、新たな噴霧ユニット１０をグループに追加、又は既に選出されている噴霧ユニット１０をグループから除外する必要がないため、それまでに選出された噴霧ユニット１０を１つのグループとして決定し（ステップＳ２５０）、この噴霧ユニット選出ルーチンを終了する。
【００５１】
以上のように、噴霧ユニット選出ルーチンでは、積算ノズル数Ｎｅと最大ノズル数Ｎｃとを比較することにより、優先順位を考慮しながら噴霧ユニット１０のグループへの追加、及び噴霧ユニット１０のグループからの除外を順次判断し、同時に噴霧されるグループを決定する。
【００５２】
例えば、図５で初回噴霧される第１グループを選出する場合においては、ステップＳ２１０で噴霧ユニット１０ａが選出された後に、ステップＳ２２０〜Ｓ２４０の繰り返しにより、噴霧ユニット１０ｂ，１０ｃ，１０ｄ，１０ｅ，１０ｆ，１０ｇがそれぞれ追加選出される。このとき、積算ノズル数Ｎｅが６０．８個となって、最大ノズル数Ｎｃの５７．１個を超えるため、ステップＳ２２０でＮｅ＞Ｎｃとなり、ステップＳ２６０〜Ｓ２８０で噴霧ユニット１０ｇの除外と噴霧ユニット１０ｈの追加選出が行われる。
【００５３】
そして、このときの積算ノズル数Ｎｅが５０．４個となり、ステップＳ２３０，Ｓ２４０で噴霧ユニット１０ｉの追加選出が行われ、これにより積算ノズル数Ｎｅが７４．４個となるため、ステップＳ２６０〜Ｓ２８０で噴霧ユニット１０ｉの除外と噴霧ユニット１０ｊの追加選出が行われる。続いて、このときの積算ノズル数Ｎｅが５２個となり、ステップＳ２３０，Ｓ２４０で噴霧ユニット１０ｋの追加選出が行われ、これにより積算ノズル数Ｎｅが５６．８個となるため、ステップＳ２３０，Ｓ２４０で噴霧ユニット１０ｌの追加選出が行われる。
【００５４】
そして、その後にステップＳ２２０，Ｓ２６０〜Ｓ２８０の繰り返しによって、噴霧ユニット１０ｌの除外及び噴霧ユニット１０ｍの追加選出、噴霧ユニット１０ｍの除外及び噴霧ユニット１０ｎの追加選出、噴霧ユニット１０ｎの除外及び噴霧ユニット１０ｏの追加選出、噴霧ユニット１０ｏの除外及び噴霧ユニット１０ｐの追加選出が順次行われる。次いで、ステップＳ２２０を経てステップＳ２６０で噴霧ユニット１０ｐが除外された後に、ステップＳ２７０で他に選出対象がなくなることから、ステップＳ２５０に進んでグループが決定される。このようにして、初回噴霧される第１グループには、噴霧ユニット１０ａ，１０ｂ，１０ｃ，１０ｄ，１０ｅ，１０ｆ，１０ｈ，１０ｊ，１０ｋの９台の噴霧ユニットが選出される。また、同様の手順をもって、第２グループ及び第３グループの選出も行われる。
【００５５】
このようにして、コントローラ３１は、決定されたグループにおける積算ノズル数Ｎｅ、すなわち噴霧期間が重なる噴霧ユニット１０のノズルの数を合計した総ノズル数Ｎｄが、給水設備２０の給水能力から換算された最大ノズル数Ｎｃを超えないようにするとともに、総ノズル数Ｎｄを最大ノズル数Ｎｃに極力近づけるようにグループを設定する。
【００５６】
次に、噴霧実行ルーチンのステップＳ１６０で処理される噴霧ユニット１０の２回目以降の噴霧について説明する。コントローラ３１は、２回目以降の噴霧については、各噴霧ユニット１０毎に設定された所定の噴霧パターンにより噴霧を行わせる。このとき、図５のＡ又はＢに示すように、ある噴霧ユニットにおいて噴霧を開始すると、供給される水量が給水設備２０の給水能力範囲を超えてしまうような場合がある。このため、コントローラ３１は、各噴霧ユニット１０で２回目以降の噴霧が行われる際に、供給される水量が給水設備２０の給水能力範囲内となるような制御を行う。
【００５７】
図８は、コントローラ３１によって実行される噴霧時期制御ルーチンのフローチャートである。この噴霧時期制御ルーチンは、各噴霧ユニット１０の噴霧期間が開始される直前に毎回実行される。噴霧時期制御ルーチンが実行されると、コントローラ３１は、現在噴霧が行われている噴霧ユニットを検出する（ステップＳ３１０）。そして、直後に噴霧が開始されようとしている噴霧ユニット（以下、対象噴霧ユニットという）において噴霧が開始された場合の総ノズル数Ｎｄと、最大ノズル数Ｎｃとを比較する（ステップＳ３２０）。すなわち、現在噴霧が行われている噴霧ユニットのノズル数の総和に、対象噴霧ユニットのノズル数を足し合わせて総ノズル数Ｎｄを算出し、この総ノズル数Ｎｄと最大ノズル数Ｎｃとを比較する。
【００５８】
総ノズル数Ｎｄが最大ノズル数Ｎｃ以下のとき（ステップＳ３２０でＮｄ≦Ｎｃ）には、対象噴霧ユニットの噴霧が開始された場合においても、供給される水量が給水設備２０の給水能力範囲内にあることを示している。従って、Ｎｄ≦Ｎｃの場合には、コントローラ３１は、対象噴霧ユニットの所定の噴霧パターンに沿って噴霧を開始させ（ステップＳ３３０）、この噴霧時期制御ルーチンを終了する。
【００５９】
総ノズル数Ｎｄが最大ノズル数Ｎｃよりも大きいとき（ステップＳ３２０でＮｄ＞Ｎｃ）には、対象噴霧ユニットにおいて噴霧が開始されると、噴霧ユニット１０に供給される水量が給水設備２０の給水能力を超えることを示している。このため、Ｎｄ＞Ｎｃの場合には、供給される水量が給水設備２０の給水能力範囲内となるようにする必要がある。そこで、コントローラ３１は、対象噴霧ユニットが複数台であるか否かを判定する（ステップＳ３４０）。対象噴霧ユニットが１台である場合（ステップＳ３４０にてＮＯ）には、その対象噴霧ユニットの噴霧期間を、供給される水量が給水設備２０の給水能力範囲内となるまで遅延させて（ステップＳ３５０）、この噴霧時期制御ルーチンを終了する。
【００６０】
一方、対象噴霧ユニットが複数台である場合（ステップＳ３４０にてＹＥＳ）には、優先順位順に給水設備２０の給水能力範囲内で噴霧可能な対象噴霧ユニットを選出する（ステップＳ３６０）。例えば、対象噴霧ユニットが３台あり、優先順位が上位の２台だけの噴霧であれば給水設備２０の給水能力範囲内となるようなときには、その２台の対象噴霧ユニットを選出する。そして、選出された対象噴霧ユニットの噴霧を開始させるとともに、他の対象噴霧ユニットの噴霧期間を供給される水量が給水設備２０の給水能力範囲内となるまで遅延させて（ステップＳ３７０）、この噴霧時期制御ルーチンを終了する。
【００６１】
以上のように、噴霧時期制御ルーチンでは、対象噴霧ユニットの噴霧期間開始前に総ノズル数Ｎｄと最大ノズル数Ｎｃとを比較することによって、供給される水量が給水設備２０の給水能力範囲を超えてしまうと判断される場合には、対象噴霧ユニットの噴霧期間を遅延させるようにしている。
【００６２】
例えば、図５のＡで噴霧ユニット１０ｇと噴霧ユニット１０ｉとの噴霧期間が同時に開始される場合では、総ノズル数Ｎｄが６０個となるため、ステップＳ３２０においてＮｄ＞Ｎｃとなる。また、対象噴霧ユニットは複数台であることからステップＳ３４０でＹＥＳとなり、ステップＳ３６０に進む。このときに、優先順位が上位の噴霧ユニット１０ｇのみの噴霧であれば総ノズル数Ｎｄが３６個になるため、ステップＳ３６０で噴霧ユニット１０ｇが選出される。そして、ステップＳ３７０で噴霧ユニット１０ｇのみ噴霧が開始されて、噴霧ユニット１０ｉの噴霧は遅延される。噴霧ユニット１０ｉの噴霧は、供給される水量が給水設備２０の給水能力範囲内となるとき、すなわち噴霧ユニット１０ｂの噴霧期間が終了するときに開始される。
【００６３】
また、図５のＢで噴霧ユニット１０ｌの噴霧期間が開始される場合では、総ノズル数Ｎｄが６０個となるため、ステップＳ３２０においてＮｄ＞Ｎｃとなる。このときに、対象噴霧ユニットは１台のみであることからステップＳ３４０でＮＯとなり、ステップＳ３５０において、噴霧ユニット１０ｌの噴霧が遅延される。このため、噴霧が遅延されている間は総ノズル数Ｎｄが３６個となり、供給される水量が給水設備２０の給水能力範囲内となる。噴霧ユニット１０ｌの噴霧は、供給される水量が給水設備２０の給水能力範囲内となるとき、すなわち噴霧ユニット１０ｉの噴霧期間が終了するときに開始される。
【００６４】
このようにして、供給される水量が給水設備２０の給水能力範囲を超えてしまうような場合には、対象噴霧ユニットの噴霧期間を一時的に変更して遅延させることで、供給水量の不足する期間が生じることを抑えている。また、対象噴霧ユニットが複数台ある場合には、優先順位に基づいて一部の対象噴霧ユニットのみを噴霧開始させるとともに、他の対象噴霧ユニットの噴霧期間を遅延させることで、極力多くの対象噴霧ユニットを所定の噴霧パターンに沿って噴霧させるようにしている。
【００６５】
上記実施形態によれば、以下のような効果を得ることができる。
（１）上記実施形態では、各室外機４０の運転状態に応じた所定の噴霧パターンにより間欠噴霧を行う噴霧ユニット１０は、通信アダプタ３０と通信可能となるように接続される。通信アダプタ３０のコントローラ３１は、各噴霧ユニット１０が稼動状態にあるか否かを取得して、同時に間欠噴霧が行われる噴霧ユニット１０の噴霧期間を、前記噴霧パターンに基づいて供給される水量が給水設備２０の給水能力範囲内となるように順序立てて設定する。そして、コントローラ３１は、設定された噴霧期間に基づいて各噴霧ユニット１０の間欠噴霧を統括制御する。このため、コントローラ３１の統括制御によって同時に間欠噴霧が行われる複数の噴霧ユニット間で噴霧期間の整合をとることができ、各噴霧ユニット１０に供給される水量が給水設備２０の給水能力範囲を超えてしまうことを防止することができる。
【００６６】
（２）上記実施形態では、通信アダプタ３０のコントローラ３１は、各噴霧ユニット１０の噴霧期間を、供給される水量が給水設備２０の給水能力範囲内となるように順序立てるため、給水設備２０の給水能力を極力低くしておくことが可能となる。すなわち、全ての噴霧ユニット１０が間欠噴霧を行う場合の時間当たりの平均使用水量を少なくとも供給できるように給水配管２２等の給水設備２０を構成しておけば、コントローラ３１による噴霧期間の設定により、供給水量が不足することを防止することができる。このため、各噴霧ユニット１０に設定されている噴霧パターンを損なうことなく、必要最小限の給水設備２０で各噴霧ユニット１０を稼動させることができる。従って、全ての噴霧ユニット１０の噴霧期間が重なる状態に対応できるような大容量の給水設備２０を用いる必要がなくなるため、給水配管２２、加圧装置２４、給水弁２３等の設備の小型化及び使用数量削減を図ることができ、設備費用や工事費用を低減することができる。
【００６７】
（３）上記実施形態では、各噴霧ユニット１０には、対応する空気調和機の出力に応じた個数のノズル１１が設けられ、通信アダプタ３０のコントローラ３１は、噴霧期間が重なる噴霧ユニット１０の総ノズル数Ｎｄが、給水設備２０の給水能力から換算された最大ノズル数Ｎｃを超えないように、各噴霧ユニット１０の噴霧期間を設定する。このため、各噴霧ユニット１０の噴霧量と給水設備２０の給水能力とをノズルの数に置き換えて容易に比較できるようにすることができ、こうした比較によって、各噴霧ユニット１０に供給される水量が給水設備２０の給水能力範囲を超えてしまうことを好適に防止することができる。
【００６８】
（４）上記実施形態では、通信アダプタ３０のコントローラ３１は、同時に間欠噴霧が行われる噴霧ユニット１０の初回噴霧時に、噴霧ユニット１０を第１グループ、第２グループ…にグループ分けして、グループ毎に順次噴霧が実行されるように各噴霧ユニット１０の噴霧期間を設定する。このため、グループ毎の噴霧期間の設定によって、間欠噴霧の統括制御を容易にすることができる。また、グループ分けを行う際には、噴霧期間が重なる噴霧ユニット１０の総ノズル数Ｎｄを最大ノズル数Ｎｃに極力近づけるようにグループを設定するため、給水設備２０の給水能力を最大限に利用した噴霧態様にすることができる。
【００６９】
（５）上記実施形態では、通信アダプタ３０のコントローラ３１は、各噴霧ユニット１０に予め設定された優先噴霧順位に基づいて各噴霧ユニット１０の噴霧期間を設定する。このため、例えば冷房能力の確保が不可欠で冷房負荷の低減が強く求められるような空気調和機がある場合には、その室外機４０に設けられる噴霧ユニット１０の優先噴霧順位を上位に設定することで、熱交換器４２の冷却が優先的に行われるように噴霧期間を設定することができる。
【００７０】
（６）上記実施形態では、通信アダプタ３０のコントローラ３１は、対象噴霧ユニットの噴霧開始によって供給される水量が給水設備２０の給水能力範囲を超えると判断した場合には、対象噴霧ユニットの噴霧期間を給水設備の給水能力範囲内となるまで遅延させる。このため、対象噴霧ユニットの噴霧パターンの噴霧期間を一時的に変更することによって、供給水量の不足する期間が発生してしまうことを抑えることができる。また、対象噴霧ユニットが複数台ある場合には、優先順位に基づいて一部の対象噴霧ユニットのみを噴霧開始させるとともに、他の対象噴霧ユニットの噴霧期間を遅延させることで、極力多くの対象噴霧ユニットを所定の噴霧パターンに沿って噴霧させることができる。
【００７１】
（７）上記実施形態では、通信アダプタ３０のコントローラ３１は、各噴霧ユニット１０にそれぞれ設定された固有のアドレスに対応したデータを送受信することで各噴霧ユニット１０の間欠噴霧を制御するため、各噴霧ユニット１０の噴霧パターン等の管理が容易となる。また、こうしたアドレス管理によって、噴霧ユニットが追加、削除された場合や、別仕様のものと交換された場合に、補助冷却装置１に設けられている噴霧ユニット１０をコントローラ３１が確実に認識できるようにすることができる。
【００７２】
なお、上記実施形態は以下のように変更してもよい。
・上記実施形態では、通信アダプタ３０のコントローラ３１は、各噴霧ユニット１０の稼動状態等により間欠噴霧を制御するようにしているが、給水設備２０を流通する水の流速又は流量を計測する計測手段を更に設けて、コントローラ３１が、計測手段による計測結果に基づいて間欠噴霧をフィードバック制御するようにしてもよい。この場合、例えば図１に示すように、給水設備２０の給水配管２２に、流通する水の流速又は流量を計測する計測手段２５を設け、計測手段２５による計測結果がコントローラ３１に入力されるようにすることができる。このようにすると、噴霧ユニット１０からの噴霧状態や給水設備２０の給水能力の余裕度等を実際の計測値により把握することができるため、噴霧期間の設定等、間欠噴霧の制御をより的確に行うことができる。
【００７３】
・上記実施形態では、通信アダプタ３０のコントローラ３１は、総ノズル数Ｎｄと最大ノズル数Ｎｃとの比較により、供給される水量が給水設備２０の給水能力範囲内となるように制御しているが、噴霧ユニット１０の配管１４内における水の流量等、ノズル数以外の値を用いて、このような制御を行うようにしてもよい。
【００７４】
・上記実施形態では、通信アダプタ３０のコントローラ３１は、同時に間欠噴霧が行われる噴霧ユニット１０の初回噴霧時において、噴霧ユニット１０のグループ毎に順次噴霧が実行されるように噴霧期間を設定しているが、グループ分けを行わずに、噴霧ユニット１０の噴霧期間を個々に設定するようにしてもよい。
【００７５】
・上記実施形態では、通信アダプタ３０のコントローラ３１は、各噴霧ユニット１０に予め設定された優先噴霧順位に基づいて各噴霧ユニット１０の噴霧期間を設定しているが、優先噴霧順位設定を用いずに噴霧期間の設定を行うようにしてもよい。
【００７６】
・上記実施形態では、通信アダプタ３０のコントローラ３１と各噴霧ユニット１０の制御基板１５とを、シリアル接続することで通信可能に構成しているが、コントローラ３１と各制御基板１５とをパラレル接続することで通信可能に構成してもよい。
【００７７】
・上記実施形態では、通信アダプタ３０のコントローラ３１は、各噴霧ユニット１０に設定されているアドレスに対応したデータを送受信することで、各噴霧ユニット１０の間欠噴霧を制御しているが、他の形式によって通信を行うようにしてもよい。また、各噴霧ユニット１０に対するアドレスの設定は、コントローラ３１が自動的に割り振るようにしてもよいし、噴霧ユニット１０の室外機４０への装着時に予め設定しておくようにしてもよい。
【００７８】
・上記実施形態では、各噴霧ユニット１０は、制御基板１５による電磁弁１６の開閉駆動によって水の噴霧を行うが、電磁弁１６を開度が変更できるように構成し、制御基板１５による電磁弁１６の開度調整によって、噴霧量を変更しながら噴霧を行うようにしてもよい。この場合、電磁弁１６の開度調整を付加することにより、各噴霧ユニット１０の間欠噴霧を様々な噴霧態様にすることができ、噴霧期間の設定自由度を大きくすることができる。
【図面の簡単な説明】
【００７９】
【図１】補助冷却装置と空気調和機の室外機との構成を示す概略図。
【図２】噴霧ユニットを搭載した室外機の概略断面図。
【図３】通信アダプタと各噴霧ユニットとの接続状態を示すブロック図。
【図４】（ａ）は各噴霧ユニットの噴霧パターンの一態様を示す表、（ｂ）は噴霧ユニットのグループ数を示す図、（ｃ）は配管径とノズル数との関係を示す表。
【図５】各噴霧ユニットの噴霧態様を示すタイムチャート。
【図６】噴霧実行ルーチンのフローチャート。
【図７】噴霧ユニット選出ルーチンのフローチャート。
【図８】噴霧時期制御ルーチンのフローチャート。
【符号の説明】
【００８０】
１…補助冷却装置、１０…噴霧ユニット、１１…ノズル、１２…噴霧制御部、１５…制御基板、１６…電磁弁、２０…給水設備、２２…給水配管、２３…給水弁、２４…加圧装置、３０…通信アダプタ、３１…コントローラ、４０…室外機、４２…熱交換器。
【図１】
2008116106.tif 000003
【図２】
2008116106.tif 000004
【図３】
2008116106.tif 000005
【図４】
2008116106.tif 000006
【図５】
2008116106.tif 000007
【図６】
2008116106.tif 000008
【図７】
2008116106.tif 000009
【図８】
2008116106.tif 000010